(57)【要約】      （修正有）【課題】ディスクの平行度が大きくなり、データの読み出しまたは書き込みの不具合が発生する。【解決手段】回転部３は、シャフト３１と、シャフトに固定され有蓋円筒状のロータホルダ３２と、ロータホルダの内周面に保持されているロータマグネット３３と、ロータホルダの上面に載置可能なディスク載置部３５とを有し、静止部２はスリーブ２１と、小径部２２ａと、小径部よりも下側に大径部２２ｂと、大径部よりも下側に突出するかしめ部２２ｃとを含み、スリーブの外周面に固定される筒状のスリーブハウジング２２と、大径部の上面に載置され、小径部の外周面に保持され、ロータマグネットと径方向に対向しているステータ２５と、かしめ部により、スリーブハウジングの下部に固定され、径方向に広がるベース部材４とを備え、小径部の外周面は、小径部の上端よりも下側において径方向内方に向かって窪む環状の凹部を有する、モータである。【選択図】図２
2013188044.tif 000002
【特許請求の範囲】
【請求項１】
回転部と、
前記回転部を回転可能に支持する静止部と、
を備え、
前記回転部は、
上下方向に延びる中心軸に沿って延びるシャフトと、
前記シャフトに固定され、有蓋円筒状のロータホルダと、
前記ロータホルダの内周面に、保持されているロータマグネットと、
前記ロータホルダの上面に配置され、ディスクを載置可能なディスク載置部と、
を有し、
前記静止部は、
前記シャフトが挿入されるスリーブと、
小径部と、前記小径部よりも下側に位置し、前記小径部よりも外径が大きい大径部と、前記大径部よりも下側に位置し、下方に向かって突出するかしめ部と、を含み、前記スリーブの外周面に固定される筒状のスリーブハウジングと、
前記大径部の上面に載置され、前記小径部の外周面に保持され、前記ロータマグネットと径方向に対向しているステータと、
前記かしめ部により、前記スリーブハウジングの下部に固定され、径方向に広がるベース部材と、
を備え、
前記小径部の外周面は、前記小径部の上端よりも下側において径方向内方に向かって窪む環状の凹部を有する、モータ。
【請求項２】
請求項１に記載のモータであって、
前記凹部が、前記小径部の外周面の下端部に位置している。
【請求項３】
請求項１に記載のモータであって、
前記凹部が、平面状である上側面と、前記上側面よりも径方向内側に位置する環状面と、前記環状面よりも下側に位置する下側面と、によって規定されている。
【請求項４】
請求項３に記載のモータであって、
前記下側面が、前記中心軸に垂直で、前記大径部に繋がる平面である。
【請求項５】
請求項３または４に記載のモータであって、
前記環状面が円筒状の面である。
【請求項６】
請求項３ないし５のいずれかに記載のモータであって、
前記小径部の外周面と、前記凹部の前記上側面とは垂直である。
【請求項７】
請求項３ないし６のいずれかに記載のモータであって、
前記環状面の上端に径方向内方に更に窪んだ上端凹部を有する。
【請求項８】
請求項１ないし７のいずれかに記載のモータであって、
前記かしめ部は、外突起を含み、
前記外突起の下端部が、径方向外方に向かって曲折され、前記スリーブハウジングが前記ベース部材の内端部に固定される。
【請求項９】
請求項８に記載のモータであって、
前記小径部の最も径方向における厚みが小さい部位は、前記外突起における、前記ベース部材の内端部と径方向に重なる部位よりも、径方向の厚みが大きい。
【請求項１０】
請求項１ないし９のいずれかのモータと、
前記ディスクに対し、情報の読み出しおよび書き込みの少なくとも一方を行うヘッドを有するアクセス部と、
前記モータおよび前記アクセス部を収容する筺体と、
を備える、ディスク駆動装置。
【請求項１１】
回転部と、
前記回転部を回転可能に支持する静止部と、
を備え、
前記回転部は、
上下方向に延びる中心軸に沿って延びるシャフトと、
前記シャフトに固定され、有蓋円筒状のロータホルダと、
前記ロータホルダの内周面に、保持されているロータマグネットと、
前記ロータホルダの上面に配置され、ディスクを載置可能なディスク載置部と、
を有し、
前記静止部は、
前記シャフトが挿入されるスリーブと、
小径部と、前記小径部よりも下側に位置し、前記小径部よりも外径が大きい大径部と、前記大径部よりも下側に位置し、下方に向かって突出するかしめ部と、を含み、前記スリーブの外周面に固定される筒状のスリーブハウジングと、
前記大径部の上面に載置され、前記小径部の外周面に保持され、前記ロータマグネットと径方向に対向しているステータと、
前記かしめ部により、前記スリーブハウジングの下部に固定され、径方向に広がるベース部材と、
を備え、
前記大径部の上面は、下方に向かって窪む環状の凹部を有し、
前記小径部の外周面と前記凹部の径方向外方を向く内側環状面とが、一つの平面を構成する、モータ。
【請求項１２】
請求項１１のモータと、
前記ディスクに対し、情報の読み出しおよび書き込みの少なくとも一方を行うヘッドを有するアクセス部と、
前記モータおよび前記アクセス部を収容する筺体と、
を備える、ディスク駆動装置。
【発明の詳細な説明】
【技術分野】
【０００１】
本発明は、ディスクが着脱可能なモータおよびディスク駆動装置に関する。
【背景技術】
【０００２】
従来より、ＣＤ−ＲＯＭ、ＤＶＤ等の情報記録ディスクを再生／記録する装置に用いられる記録ディスク駆動装置には、これらディスクを回転駆動する記録ディスク駆動用モータが搭載されている。
【０００３】
例えば、特開２０１１−２１０３４９号公報の図１に示されている、従来の光ディスク駆動装置に搭載されるモータは、大きくステータとロータから形成される。ステータは、回転する部材を除く全ての固定部材を意味し、印刷回路基板が設けられるベース部材を備える。ベース部材にはスリーブを圧入して保持するスリーブホルダが設けられる。また、ステータは、スリーブホルダに固定されるコアと、コアを囲む巻線コイルとをさらに備える。
【０００４】
ロータは、ロータ胴体とマグネットを備える。ロータ胴体にはステータの巻線コイルと対向する環状のマグネットが内周面に装着される曲げ部が形成される。ロータ胴体にはシャフトに圧入されて締結されるロータハブが形成される。また、ロータ胴体の上部にはディスクを載置することができるチャッキング器具が結合される。
【０００５】
また、従来の光ディスク駆動装置は、光ピックアップ部をさらに含み、光ピックアップ部により、ディスクに対する情報の読み出しまたは書き込みを行う。
【特許文献１】特開２０１１−２１０３４９号公報
【発明の概要】
【発明が解決しようとする課題】
【０００６】
このようなモータを搭載した光ディスク駆動装置は、スリーブホルダが、ベース部材にかしめ固定される。スリーブホルダが、ベース部材にかしめ固定される際に、ロータ胴体の上部、すなわち、ディスクを載置する面が、ベース部材に対して傾いて取り付けられた場合、光ピックアップ部に対するディスクの平行度が大きくなり、データの読み出しまたは書き込みの不具合が発生する虞がある。
【０００７】
そこで、本発明は、ベース部材に対するディスク載置面の平行度が小さく、回転部の振れを小さいモータ、また、光ピックアップ部に対するディスク載置面の平行度が小さく、精度良くデータの読み出しまたは書き込みを行えるディスク駆動装置を提供することを目的とする。
【課題を解決するための手段】
【０００８】
本願の例示的な第一の発明は、回転部と、回転部を回転可能に支持する静止部と、を備え、回転部は、上下方向に延びる中心軸に沿って延びるシャフトと、シャフトに固定され、有蓋円筒状のロータホルダと、ロータホルダの内周面に、保持されているロータマグネットと、ロータホルダの上面に配置され、ディスクを載置可能なディスク載置部と、を有し、静止部は、シャフトが挿入されるスリーブと、小径部と、小径部よりも下側に位置し、小径部よりも外径が大きい大径部と、大径部よりも下側に位置し、下方に向かって突出するかしめ部と、を含み、スリーブの外周面に固定される筒状のスリーブハウジングと、大径部の上面に載置され、小径部の外周面に保持され、ロータマグネットと径方向に対向しているステータと、かしめ部により、スリーブハウジングの下部に固定され、径方向に広がるベース部材と、を備え、小径部の外周面は、小径部の上端よりも下側において径方向内方に向かって窪む環状の凹部を有する、モータである。
【０００９】
本願の例示的な第二の発明は、前記モータと、ディスクに対し、情報の読み出しおよび書き込みの少なくとも一方を行うヘッドを有するアクセス部と、モータおよびアクセス部を収容する筺体と、を備える、ディスク駆動装置である。
【００１０】
本願の例示的な第三の発明は、回転部と、前記回転部を回転可能に支持する静止部と、を備え、前記回転部は、上下方向に延びる中心軸に沿って延びるシャフトと、前記シャフトに固定され、有蓋円筒状のロータホルダと、前記ロータホルダの内周面に、保持されているロータマグネットと、前記ロータホルダの上面に配置され、ディスクを載置可能なディスク載置部と、を有し、前記静止部は、前記シャフトが挿入されるスリーブと、小径部と、前記小径部よりも下側に位置し、前記小径部よりも外径が大きい大径部と、前記大径部よりも下側に位置し、下方に向かって突出するかしめ部と、を含み、前記スリーブの外周面に固定される筒状のスリーブハウジングと、前記大径部の上面に載置され、前記小径部の外周面に保持され、前記ロータマグネットと径方向に対向しているステータと、前記かしめ部により、前記スリーブハウジングの下部に固定され、径方向に広がるベース部材と、を備え、前記大径部の上面は、下方に向かって窪む環状の凹部を有し、前記小径部の外周面と前記凹部の径方向外方を向く内側環状面とが、一つの平面を構成する、モータである。
【００１１】
本願の例示的な第四の発明は、前記モータと、ディスクに対し、情報の読み出しおよび書き込みの少なくとも一方を行うヘッドを有するアクセス部と、モータおよびアクセス部を収容する筺体と、を備える、ディスク駆動装置である。
【発明の効果】
【００１２】
本願の例示的な第一の発明によれば、ベース部材に対するディスク載置部の上面の平行度が小さく、回転部の振れが小さい構造を提供することができる。
【００１３】
本願の例示的な第二の発明によれば、アクセス部に対するディスク載置部の上面の平行度が小さく、データの読み出しまたは書き込みを精度良く行うことができる構造を提供することができる。
【００１４】
本願の例示的な第三の発明によれば、モータを大型化することなく、ベース部材に対するディスク載置部の上面の平行度が小さく、回転部の振れが小さい構造を提供することができる。
【００１５】
本願の例示的な第四の発明によれば、アクセス部に対するディスク載置部の上面の平行度が小さく、データの読み出しまたは書き込みを精度良く行うことができる構造を提供することができる。
【図面の簡単な説明】
【００１６】
【図１】図１は、ディスク駆動装置の断面図である。
【図２】図２は、モータの断面図である。
【図３】図３は、モータの部分拡大断面図である。
【図４】図４は、第一実施形態に係るスリーブハウジングの近傍の断面図である。
【図５】図５は、第一実施形態に係るベース部材に対する回転部の平行度を修正する工程の一例を示す図である。
【図６】図６は、第二実施形態に係るスリーブハウジングの近傍の断面図である。
【図７】図７は、第二実施形態に係るベース部材に対する回転部の平行度を修正する工程の一例を示す図である。
【発明を実施するための形態】
【００１７】
以下、本発明の例示的な実施形態について、図面を参照しつつ説明する。なお、以下では、モータの中心軸に沿う方向を上下方向とし、各部の形状や位置関係を説明する。ただし、これは、あくまで説明の便宜のために上下方向を定義したものであって、本発明に係るモータおよびディスク駆動装置が実際の機器に搭載されたときの設置姿勢を限定するものではない。また、中心軸に平行な方向を軸方向とし、中心軸を中心とする径方向を単に径方向と呼び、中心軸を中心とする周方向を単に周方向と呼ぶ。
【００１８】
（ディスク駆動装置の構成）
図１は、本発明の例示的な一実施形態に係るディスク駆動装置１の断面図である。ディスク駆動装置１は、中心軸Ｊ１を中心として着脱可能な光ディスク９０（以下、単に「ディスク９０」という）を回転させつつ、情報の読み出しおよび書き込みを行う装置である。図１に示すように、ディスク駆動装置１は、筺体１１と、ディスクトレイ１２と、モータ１３と、アクセス部１４と、を備えている。
【００１９】
筺体１１は箱状である。筺体１１は天板部１１ａを有する。天板部１１ａは、径方向に広がる略平板状の部材である。天板部１１ａは、金属にて形成された部材である。筺体１１は、ディスクトレイ１２、モータ１３、およびアクセス部１４を内部に収容している。天板部１１ａは、ディスクトレイ１２、モータ１３、およびアクセス部１４よりも上方に配置されている。ディスクトレイ１２は、筺体１１の外部と内部との間でスライド移動し、これにより、ディスク９０を搬入および搬出する。筺体に収容されているモータ１３は、ディスクトレイ１２に固定されている。ディスク９０は、モータ１３の回転部３に保持され、モータ１３により、中心軸Ｊ１を中心として回転される。
【００２０】
アクセス部１４は、光ピックアップ機能を含むヘッド１４ａを有する。ヘッド１４ａは、光ピックアップ機構である。アクセス部１４は、モータ１３により回転するディスク９０の記録面に沿ってヘッド１４ａを移動させて、情報の読み出しおよび書き込みを行う。なお、アクセス部１４のヘッド１４ａは、ディスク９０の記録面に対して、情報の読み出しおよび書き込みの一方のみを行うものであってもよい。
【００２１】
（モータの構成）
続いて、上記のモータ１３の構成について説明する。
【００２２】
図２は、モータ１３の断面図である。図２に示すように、モータ１３は、静止部２と、回転部３と、ベース部材４と、回路基板５と、を備えている。
【００２３】
静止部２は、ベース部材４に固定されている。静止部２は、スリーブ２１と、スリーブハウジング２２と、プレート２３と、スラストプレート２４と、ステータ２５と、を有する。スリーブ２１は、焼結金属製の部材である。スリーブ２１には、潤滑油が含浸されている。スリーブ２１は略円筒状の部材であり、後述するシャフト３１が挿入されている。スリーブ２１は、シャフト３１を回転可能に支持している。
【００２４】
スリーブハウジング２２は、筒状の部材であり、上下方向に貫通する貫通孔を有する。スリーブハウジング２２の貫通孔を規定する面には、スリーブ２１が固定されている。言い換えれば、スリーブ２１の外周面にスリーブハウジング２２が固定されている。スリーブハウジング２２は、小径部２２ａと、大径部２２ｂと、かしめ部２２ｃと、を含む。大径部２２ｂは、小径部２２ａよりも下側に位置し、小径部２２ａよりも外径が大きい。かしめ部２２ｃは、大径部２２ｂよりも下側に位置し、下方に向かって突出する。かしめ部２２ｃにより、スリーブハウジング２２の下部に、ベース部材４およびプレート２３が固定される。本実施形態では、スリーブ２１、スリーブハウジング２２およびプレート２３によって、軸受ユニットが構成される。
【００２５】
スリーブハウジング２２は金属の切削加工により形成された部材である。例えば、スリーブハウジング２２の材料は、真鍮やアルミ合金である。小径部２２ａは略円筒状の部位である。小径部２２ａの内周面は、既述のスリーブハウジング２２の貫通孔を規定する面である。すなわち、小径部２２ａの内周面にスリーブ２１が圧入固定される。大径部２２ｂは、小径部２２ａの下側の部位から、径方向外方に向かって広がっている。かしめ部２２ｃは、大径部２２ｂの下面から下方に向かって突出する。かしめ部２２ｃは、内突起２２ｃ１と、外突起２２ｃ２と、を含む。外突起２２ｃ２は、内突起２２ｃ１よりも径方向外側に配置されている。
【００２６】
プレート２３は、プレス加工により形成された板状の部材である。プレート２３の外端部は、内突起２２ｃ１がかしめられることによって、スリーブハウジング２２に固定されている。プレート２３がスリーブハウジング２２に固定されることにより、プレート２３は、略円筒状のスリーブ２１の貫通孔を閉塞している。また、スラストプレート２４が、プレート２３の上面に配置されている。スラストプレート２４は、シャフト３１の下端面と当接することにより、シャフト３１を軸方向に支持する。
【００２７】
ステータ２５は、大径部２２ｂの上面２２ｂ１に載置されている。さらに、ステータ２５は、小径部２２ａの外周面に保持されている。ステータ２５は、複数本のティース部２６ａを有するステータコア２６と、各ティース部２６ａに巻回されたコイル２７と、を有する。ステータコア２６は、略円環状のコアバック部２６ｂをさらに有する。コアバック部２６ｂは、スリーブハウジング２２の小径部２２ａの外周面に固定される。ティース部２６ａは、コアバック部２６ｂから径方向外方に向かって延びる。複数のティース部２６ａは、周方向に等間隔で配置されている。コイル２７の下端部は、回路基板５の上面と、僅かな間隙を介して対向している。
【００２８】
回転部３は、静止部２に対して回転可能に支持されている。回転部３は、シャフト３１と、ロータホルダ３２と、ロータマグネット３３と、チャック機構３４と、を有する。シャフト３１は、中心軸Ｊ１に沿って上下方向に延びる略円柱形状の部材である。ロータホルダ３２は、シャフト３１に固定され、シャフト３１とともに回転する有蓋略円筒状の部材である。ロータホルダ３２は、薄板をプレス加工することにより形成されている。本実施形態では、薄板は磁性体にて形成されている。ロータマグネット３３は、ロータホルダ３２の内周面に保持されている。ロータマグネット３３は、略円環形状をなしている。ロータマグネット３３の内周面は、ステータコア２６のティース部２６ａの端面と径方向に対向する磁極面となっている。すなわち、ステータ２５は、ロータマグネット３３よりも径方向内側に位置し、ロータマグネット３３と径方向に対向している。
【００２９】
ロータホルダ３２は、蓋部３２ａと、外円筒部３２ｂと、内円筒部３２ｃと、有する。蓋部３２ａは径方向に広がる円盤状の部位である。蓋部３２ａの上面には、チャック機構３４が配置される。外円筒部３２ｂは、蓋部３２ａの径方向外端部から下方に向かって延びる円筒状の部位である。外円筒部３２ｂの内周面には、ロータマグネット３３が保持されている。内円筒部３２ｃは、蓋部３２ａの径方向内端部から上方に向かって延びる部位である。シャフト３１の上部には、内円筒部３２ｃの内周面が接着固定されている。
【００３０】
外円筒部３２ｂの下端部や、ロータマグネット３３の下端部は、回路基板５の上面と、僅かな間隙を介して対向している。
【００３１】
ロータホルダ３２の上面には、ディスク９０を載置可能な略円環形状のディスク載置部３５が配置されている。ディスク９０は、その下面をディスク載置部３５の上面に接触させた状態で、蓋部３２ａ上に載置される。また、ディスク９０の内周部は、チャック機構３４に保持される。すなわち、ロータホルダ３２、ディスク載置部３５、およびチャック機構３４が、ディスク９０を保持する保持部を構成している。
【００３２】
静止部２のコイル２７に駆動電流が与えられると、ステータコア２６の複数のティース部２６ａに磁束が発生する。そして、ティース部２６ａとロータマグネット３３との間の磁束の作用により周方向のトルクが発生し、静止部２に対して回転部３が、中心軸Ｊ１を中心として回転する。回転部３に保持されたディスク９０は、回転部３とともに、中心軸Ｊ１を中心として回転する。
【００３３】
ベース部材４は、プレス加工により形成された、径方向に広がる板状の部材である。ベース部材４は、静止部２および回路基板５を支持している。回路基板５は、ベース部材４の上面側に配置されている。ベース部材４は、ディスク駆動装置１のディスクトレイ１２に固定されている。すなわち、モータ１３は、ディスクトレイ１２に取付けられている。また、モータ１３は、外突起２２ｃ２がかしめられることによって、ベース部材４に固定されている。すなわち、外突起２２ｃ２の下端部が、径方向外方に向かって曲折され、スリーブハウジング２２がベース部材４の内端部に固定される。静止部２、回転部３、および、回路基板５の高さ位置は、ベース部材４の上面を基準として設定されている。ベース部材４は、回路基板５より剛性の高い材料により形成されている。例えば、ベース部材４は、アルミニウム合金等の金属により形成されている。
【００３４】
（第一実施形態に係るスリーブハウジングの近傍）
図３は、第一実施形態に係るモータ１３の部分拡大断面図である。また、図４は、第一実施形態に係るスリーブハウジング２２の近傍の断面図である。図３および４を参照して、説明する。スリーブハウジング２２の小径部２２ａの外周面は、径方向内方に向かって窪む環状の凹部２８を有する。凹部２８は、小径部２２ａの上端よりも下側に位置する。凹部２８は、上側面２８ａと、環状面２８ｂと、下側面２８ｃと、によって規定されている。上側面２８ａは下方を向く平面状の面である。環状面２８ｂは、上側面２８ａよりも径方向内側に位置し、軸方向に伸びる円筒状の面である。下側面２８ｃは、環状面２８ｂよりも下側かつ径方向外側に位置し、上方を向く平面状の面である。さらに、凹部２８は、環状面２８ｂの上端に、径方向内方へ更に窪んだ上端凹部２８ｂ１を有する。
【００３５】
本実施形態では、小径部２２ａと大径部２２ｂとは連続している。また、凹部２８が、小径部２２ａの外周面の下端部に位置しているため、凹部２８の下側面２８ｃは、大径部２２ｂに繋がる面である。そのため、スリーブハウジング２２の切削加工が容易に行える。さらに、大径部２２ｂの上面２２ｂ１と凹部２８の上方を向く下側面２８ａとにより、一つの平面を構成する。大径部２２ｂの上面２２ｂ１と凹部２８の下側面２８ｃとにより、一つの平面が構成されるため、スリーブハウジング２２の切削加工がより容易に行える。
【００３６】
小径部２２ａの外周面と、凹部２８の上側面２８ａとは略垂直である。すなわち、凹部２８の上側面２８ａは中心軸Ｊ１に略垂直である。また、下側面２８ｃおよび大径部２２ｂの上面２２ｂ１は、中心軸Ｊ１に略垂直である。
【００３７】
さらに、小径部２２ａの最も径方向における厚みが小さい部位は、外突起２２ｃ２における、ベース部材４の内端部と径方向に重なる部位よりも、径方向の厚みが大きい。本実施形態では、スリーブハウジング２２の上端凹部２８ｂ１を構成する部位は、外突起２２ｃ２における、ベース部材４の内端部と径方向に重なる部位よりも、径方向の厚みが大きい。
【００３８】
次に、図５を参照しつつ、ベース部材４に対するモータ１３の平行度を修正する工程について説明する。図５は、ベース部材４に対する回転部３の平行度を修正する工程の一例を示す図である。ベース部材４に対する回転部３の平行度を修正する際には、まず、ベース部材４にかしめ固定された、スリーブ２１、スリーブハウジング２２およびプレート２３によって構成される軸受ユニットを用意する。また、略円柱状の第一治具４０、略円柱の胴体部４１ａと胴体部４１ａの下端から径方向内方に広がる環状の爪部４１ｂとを有する第二治具４１、ベース部材４を支持するための第三治具４２および平行度または直角度を測定する測定機（図示しない）を用意する。
【００３９】
次に、第三治具４２により、ベース部材４を支持する。具体的には、第三治具４２は、上方に突出する３つの突起部を有し、ベース部材４は、第三治具４２の突起部に対応する箇所に貫通孔を有する。第三治具４２の突起部がベース部材４の貫通孔に挿入され、ベース部材４の貫通孔近傍の下面と第三治具４２の突起部近傍の上面とが接触し、ベース部材４は第三治具４２によって支持される。さらに、略円柱状の第一治具４０をスリーブ２１に挿入する。そして、第一治具４０を回転させ、既述の測定器によって、ベース部材４に対する第一治具４０の回転中の平行度または直角度を測定し、第一治具４０が傾く方向を特定する。本実施形態のベース部材４では、貫通孔近傍の領域を基準面として、ベース部材４に対する回転部３の平行度または直角度が測定される。
【００４０】
そして、第一治具４０が傾く方向において、爪部４１ｂが凹部２８内に配置されるように第二治具４１を移動させる。
【００４１】
そして、凹部２８内に配置された爪部４１ｂの上面を、凹部２８の上側面２８ａと接触させた状態で、第二治具４１を、第一治具４０が傾く方向とは逆方向に傾けることにより、ベース部材４のかしめ部２２により固定される部位の近傍またはかしめ部２２ｃが変形する。その結果、ベース部材４に対する軸受ユニットの平行度を修正することができる。その結果、ベース部材４に対する回転部３の平行度が修正される。
【００４２】
ただし、ベース部材４に対するモータ１３の平行度を修正する工程は上述した工程に限定されない。また、上述した工程の順序についても趣旨を逸脱しない限り変更可能である。
【００４３】
以上、本実施形態では、小径部２２ａの外周面が、小径部２２ａの上端よりも下側において径方向内方に向かって窪む環状の凹部２８を有するため、ベース部材４に対するディスク載置部３５の上面の平行度が小さく、回転部３の振れが小さい構造のモータ１３を提供することができる。
【００４４】
また、アクセス部１４に対するディスク載置部３５の上面の平行度が小さく、データの読み出しまたは書き込みを精度良く行うことができる構造のディスク駆動装置１を提供することができる。
【００４５】
さらに、小径部２２ａの最も径方向における厚みが小さい部位は、外突起２２ｃ２における、ベース部材４の内端部と径方向に重なる部位よりも、径方向の厚みが大きいため、ベース部材４に対するモータ１３の平行度を修正する際に、ステータ２５を保持する小径部２２ａが変形することを防止できる。
【００４６】
さらに、凹部２８が、環状面２８ｂの上端に、径方向内方へ更に窪んだ上端凹部２８ｂ１を有するため、第二治具４１を爪部４１ｂの上面の、凹部２８の上側面２８ａと接触する面積を大きくすることができるため、ベース部材４に対する軸受ユニットの平行度の修正がよりし易く、回転部３の振れがより小さい構造のモータ１３を提供することができる。
【００４７】
（第二実施形態に係るスリーブハウジングの近傍）
次に第二実施形態に係るモータについて説明する。図６は、第二実施形態に係るスリーブハウジング２２の近傍の断面図である。スリーブハウジング２２の大径部２２ｂの上面２２ｂ１は、下方に向かって窪む環状の凹部４８を有する。凹部４８は、内側環状面４８ａと、下面４８ｂと、外側環状面４８ｃと、によって規定されている。内側環状面４８ａは径方向外方を向く円筒状の面である。外側環状面４８ｃは、内側環状面４８ａよりも径方向外側に位置し、径方向内方を向く円筒状の面である。下面４８ｂは上方を向く面で、内端部が内側環状面４８ａの下端部と連続する。また、下面４８ｂの外端部は、外側環状面４８ｃの下端部と連続する。
【００４８】
小径部２２ａと大径部２２ｂとは連続している。さらに、凹部４８が、大径部２２ｂの上面２２ｂ１の内端部に位置している。小径部２２ａの外周面と凹部４８の径方向外方を向く内側環状面４８ａとにより、一つの平面を構成する。すわなち、凹部４８の内側環状面４８ａが、小径部２２ａに繋がる面である。小径部２２ａの外周面と凹部４８の内側環状面４８ａにより、一つの平面が構成されるため、スリーブハウジング２２の切削加工が容易に行える。
【００４９】
次に、図７を参照しつつ、ベース部材４に対するモータ１３の平行度を修正する工程について説明する。図７は、ベース部材４に対する回転部３の平行度を修正する工程の一例を示す図である。ベース部材４に対する回転部３の平行度を修正する際には、まず、ベース部材４にかしめ固定された、スリーブ２１、スリーブハウジング２２およびプレート２３によって構成される軸受ユニットを用意する。また、略円柱状の第四治具５０、略円柱の胴体部を有する第五治具５１、ベース部材４を支持するための第六治具５２および平行度または直角度を測定する測定機（図示しない）を用意する。
【００５０】
次に、第六治具５２により、ベース部材４を支持する。具体的には、第六治具５２は、上方に突出する３つの突起部を有し、ベース部材４は、第六治具４２の突起部に対応する箇所に貫通孔を有する。第六治具４２の突起部がベース部材４の貫通孔に挿入され、ベース部材４の貫通孔近傍の下面と第六治具４２の突起部近傍の上面とが接触し、ベース部材４は第六治具４２によって支持される。さらに、略円柱状の第四治具５０をスリーブ２１に挿入する。そして、第四治具５０を回転させ、既述の測定器によって、ベース部材４に対する第四治具５０の回転中の平行度または直角度を測定し、第四治具５０が傾く方向を特定する。本実施形態のベース部材４では、貫通孔近傍の領域を基準面として、ベース部材４に対する回転部３の平行度または直角度が測定される。
【００５１】
そして、凹部４８内に第五治具５１の下端部を配置させ、第四治具５０が傾く方向において、第五治具５１の内周面が凹部４８および小径部２２ａの外周面と接触するように第五治具５１を移動させる。
【００５２】
そして、第五治具５１の内周面を、凹部４８および小径部２２ａの外周面と接触させた状態で、第五治具５１を、第四治具５０が傾く方向とは逆方向に傾けることにより、ベース部材４のかしめ部２２により固定される部位の近傍またはかしめ部２２ｃが変形する。その結果、ベース部材４に対する軸受ユニットの平行度を修正することができる。その結果、ベース部材４に対する回転部３の平行度が修正される。
【００５３】
ただし、ベース部材４に対するモータ１３の平行度を修正する工程は上述した工程に限定されない。また、上述した工程の順序についても趣旨を逸脱しない限り変更可能である。
【００５４】
以上、本実施形態では、大径部２２ｂの上面２２ｂ１は、下方に向かって窪む環状の凹部４８を有する。また、小径部２２ａの外周面と凹部４８の径方向外方を向く内側環状面４８ａとにより一つの平面を構成するため、モータ１３を大型化することなく、ベース部材４に対するディスク載置部３５の上面の平行度が小さく、回転部３の振れが小さい構造を提供することができる。
【００５５】
また、アクセス部１４に対するディスク載置部３５の上面の平行度が小さく、データの読み出しまたは書き込みを精度良く行うことができる構造のディスク駆動装置１を提供することができる。
【００５６】
以上、本発明の例示的な実施形態について説明したが、本発明は上記の実施形態に限定されるものではない。
【００５７】
上記実施形態における構成は、相互に矛盾しない限り適宜組み合わされてよい。
【産業上の利用可能性】
【００５８】
本発明は、モータおよびディスク駆動装置に利用することができる。
【符号の説明】
【００５９】
１  ディスク駆動装置
２  静止部
３  回転部
４  ベース部材
５  回路基板
１１  筺体
１１ａ  天板部
１２  ディスクトレイ
１３  モータ
１４  アクセス部
１４ａ  ヘッド
２１  スリーブ
２２  スリーブハウジング
２２ａ  小径部
２２ｂ  大径部
２２ｂ１  上面
２２ｃ  かしめ部
２２ｃ１  内突起
２２ｃ２  外突起
２３  プレート
２４  スラストプレート
２５  ステータ
２６  ステータコア
２６ａ  ティース部
２７  コイル
２８  凹部
２８ａ  上側面
２８ｂ  環状面
２８ｂ１  上端凹部
２８ｃ  下側面
３１  シャフト
３２  ロータホルダ
３２ａ  蓋部
３２ｂ  外円筒部
３２ｃ  内円筒部
３３  ロータマグネット
３４  チャック機構
３５  ディスク載置部
４８  凹部
４８ａ  内側環状面
４８ｂ  下面
４８ｃ  外側環状面４８ｃ
９０  光ディスク
Ｊ１  中心軸
【図１】
2013188044.tif 000003
【図２】
2013188044.tif 000004
【図３】
2013188044.tif 000005
【図４】
2013188044.tif 000006
【図５】
2013188044.tif 000007
【図６】
2013188044.tif 000008
【図７】
2013188044.tif 000009